(57)【要約】システムは、デコーダと、エンコーダと、記憶装置とを有しうる。デコーダは、第１のフォーマットを有する符号化されたビデオ情報を中間ビデオ情報に復号しうる。デコーダは、また、符号化されたビデオ情報から運動ベクトルを抽出しうる。エンコーダは、中間ビデオ情報を第２のフォーマットを有する出力ビデオ情報に符号化しうる。エンコーダは、その符号化を実行するために、符号化されたビデオ情報から抽出された運動ベクトルを使用しうる。記憶装置は、エンコーダからの出力ビデオ情報を記憶しうる。
2007531477.tif 000002
【特許請求の範囲】
【請求項１】
第１のフォーマットを有する符号化されたビデオ情報を中間ビデオ情報に復号し、前記符号化されたビデオ情報から運動ベクトルを抽出するデコーダと、
前記中間ビデオ情報を前記符号化されたビデオ情報から抽出された運動ベクトルを用いて第２のフォーマットを有する出力ビデオ情報に符号化するエンコーダと、
該エンコーダからの出力ビデオ情報を記憶する装置とを有することを特徴とするシステム。
【請求項２】
前記第１のフォーマット及び前記第２のフォーマットは、共通フォーマットを有することを特徴とする請求項１記載のシステム。
【請求項３】
前記共通フォーマットは、ＭＰＥＧ−１、ＭＰＥＧ−２、ＭＰＥＧ−４、Ｈ．２６４、ウィンドウズ（登録商標）・メディア・ビデオ・バージョン９（ＷＭＶ９）又はアドバンスド・ビデオ・システム（ＡＶＳ）を有することを特徴とする請求項２記載のシステム。
【請求項４】
前記第１のフォーマットは、ＭＰＥＧ−２を有し、
前記第２のフォーマットは、Ｈ．２６４を有することを特徴とする請求項１記載のシステム。
【請求項５】
前記デコーダは、前記符号化されたビデオ情報から量子化データ、画像データ、又はエラーデータを抽出するよう配置されることを特徴とする請求項１記載のシステム。
【請求項６】
前記エンコーダは、デジタル−アナログ変換器を有し、
前記中間ビデオ情報は、アナログ画素情報を有することを特徴とする請求項１記載のシステム。
【請求項７】
前記中間ビデオ情報は、デジタル画素情報を有することを特徴とする請求項１記載のシステム。
【請求項８】
前記中間ビデオ情報を出力するための出力ポートを更に有することを特徴とする請求項１記載のシステム。
【請求項９】
符号化されたビデオストリームから運動情報を抽出するステップと、
前記符号化されたビデオストリームを中間ビデオストリームへ変換するステップと、
前記中間ビデオストリームを前記符号化されたビデオストリームから抽出された運動情報を用いて出力ビデオストリームに符号化するステップとを有することを特徴とする方法。
【請求項１０】
前記抽出ステップは、前記符号化されたビデオストリームから量子化データ又は画像データを取得するステップを有し、
前記符号化ステップは、前記符号化されたビデオストリームから取得された運動情報及び量子化データ又は画像データを用いて前記中間ビデオストリームを符号化するステップを有することを特徴とする請求項９記載の方法。
【請求項１１】
前記変換ステップは、前記符号化されたビデオストリームを復号して、圧縮されていない画素データのストリームを発生させるステップを有することを特徴とする請求項９記載の方法。
【請求項１２】
前記変換ステップは、前記圧縮されていない画素データのストリームをアナログ形式へ変換して、前記中間ビデオストリームを発生させるステップを更に有することを特徴とする請求項１１記載の方法。
【請求項１３】
前記符号化されたビデオストリーム及び前記出力ビデオストリームは、共通の符号化フォーマットを共有することを特徴とする請求項９記載の方法。
【請求項１４】
前記符号化されたビデオストリーム及び前記出力ビデオストリームは、異なる符号化フォーマットを有することを特徴とする請求項９記載の方法。
【請求項１５】
前記出力ビデオストリームを記憶するステップを更に有することを特徴とする請求項９記載の方法。
【請求項１６】
前記中間ビデオストリームを記憶するステップを更に有することを特徴とする請求項９記載の方法。
【請求項１７】
入力されたメディア情報を中間フォーマットを有する中間メディア情報に変換し、前記入力されたメディア情報から他の情報を抽出する変換器と、
前記中間メディア情報を前記入力されたメディア情報から抽出された他の情報を用いて出力フォーマットを有する出力メディア情報に符号化するエンコーダとを有することを特徴とする装置。
【請求項１８】
前記入力されたメディア情報は、前記出力フォーマットで符号化されることを特徴とする請求項１７記載の装置。
【請求項１９】
前記入力されたメディア情報は、前記出力フォーマットとは異なる入力フォーマットで符号化されることを特徴とする請求項１７記載の装置。
【請求項２０】
前記中間メディア情報は、アナログデータを含むことを特徴とする請求項１７記載の装置。
【請求項２１】
前記入力されたメディア情報は、符号化され、
前記変換器は、前記符号化された入力されたメディア情報を復号して、前記中間メディア情報を発生させるデコーダを有することを特徴とする請求項１７記載の装置。
【請求項２２】
前記他の情報は、運動ベクトルを含むことを特徴とする請求項１７記載の装置。
【請求項２３】
前記エンコーダからの出力メディア情報を記憶するための記憶装置を更に有することを特徴とする請求項１７記載の装置。
【請求項２４】
符号化されたビデオストリームから少なくとも運動ベクトルを取得するステップと、
アナログビデオストリームを発生させるよう前記符号化されたビデオストリームを復号するステップと、
前記符号化されたビデオストリームから取得された運動ベクトルを用いて出力ビデオストリームを発生させるよう前記アナログビデオストリームを符号化するステップとを有することを特徴とする方法。
【請求項２５】
前記取得ステップは、前記符号化されたビデオストリームから量子化データ及び画像データを取得するステップを更に有することを特徴とする請求項２４記載の方法。
【請求項２６】
前記量子化データ及び前記画像データを用いて前記符号化のレートを制御するステップを更に有することを特徴とする請求項２５記載の方法。
【請求項２７】
前記出力ビデオストリームを記憶するステップを更に有することを特徴とする請求項２４記載の方法。
【発明の詳細な説明】
【技術分野】
【０００１】
本発明の実施は、メディア符号化と、更に具体的には、受信されたビデオ情報の符号化に関する。
【背景技術】
【０００２】
幾つかの理由が、ビデオ情報の符号化に関して存在しうる。幾つかの場合において、記憶及び／又は表示のために一のフォーマットから他のフォーマットへビデオ情報を符号変換又は再符号化することが望まれることがある。このような符号変換又は再符号化は、第１のフォーマットから第１のフォーマットとはいずれかが異なる第２のフォーマットへのビデオ情報の直接変換を含んでも良い。代替的に、それは、第１のフォーマットを第３の中間フォーマットへ復号し、次に、第３のフォーマットを第２のフォーマットへ符号化するステップを含んでも良い。他の場合において、ある品質レベルで、その後の使用のために、ビデオ情報を記憶することが望まれることがある。他の理由は、特にここには記述しないが、ビデオ情報を符号化する要望に関して存在しうる。
【発明の開示】
【発明が解決しようとする課題】
【０００３】
しかし、高い品質レベルでビデオ情報を符号化することは、比較的大きな処理能力を必要としうる。更に、技術的障害が、特定のビデオ情報の符号化を妨げうる。
【発明を実施するための最良の形態】
【０００４】
本明細書に組み込まれ、その一部を構成する添付の図面は、本発明の原理と一致する１又はそれ以上の実施を表し、明細書本文と共に、このような実施を説明する。図面は、必ずしも実寸ではなく、代わりに、本発明の原理を表すよう強調表示をなされている。
【０００５】
以下の詳細な説明は、添付の図面を参照する。同じ参照番号が、同一又は類似する要素を区別するために、異なる図面で使用されうる。以下の記載において、限定ではなく説明の目的のために、具体的な詳細は、本発明の様々な態様の深い理解を与えるために、例えば、特有の構造、アーキテクチャ、インターフェース、技術、等を列挙される。しかし、当業者には明らかであるように、本発明の様々な態様は、これらの特有の詳細から離れた他の例において実施されても良い。場合によっては、よく知られた装置、回路及び方法の記載は、不必要に詳細であることにより本発明の記載を不明瞭としないよう省かれている。
【０００６】
図１は、本発明の原理に一致するシステム１００の一例を表す。システム１００の実施例は、パーソナル・ビデオ・レコーダ（ＰＶＲ）又はデジタル・バーサトル・ディスク・レコーダ（ＤＶＤ−Ｒ）を含んでも良い。しかし、本発明は、この点に限定されない。例えば、システム１００は、汎用コンピュータ、携帯機器、又は他の電気システムの内部で具現化されても良い。システム１００は単一の装置において具現化されても良いが、幾つかの実施において、システム１００のある部品は、システム１００の他の部品とは物理的に分離され、且つ／あるいは、遠く離れていても良い。更に、システム１００は、個別部品を有するように表されているが、これらの部品は、ハードウェア、ソフトウェア／ファームウェア、又はこれらのある組合せで実施されても良い。ハードウェアで実施される場合には、システム１００の幾つかの部品は、特定のチップ又は装置において一体化されても良い。
【０００７】
システム１００は、メディア・ソース１１０と、変換器１２０と、エンコーダ１４０と、随意的な記憶／出力装置１５０と、記憶装置１６０とを有しうる。変換器１２０は、中間メディア情報１３２をエンコーダ１４０と、存在する場合には、随意的な記憶／出力装置１５０とへ送信しうる。変換器１２０は、また、他の情報１３４をエンコーダ１４０へ送信しうる。幾つかの実施において、他の情報１３４は、中間メディア情報１３２に関するメタ情報を有しうる。
【０００８】
メディア・ソース１１０は、メディア情報をシステム１００のその他の部分へ供給する装置を有しうる。メディア・ソース１１０により供給されるメディア情報は、例えば、ＭＰＥＧ−１、ＭＰＥＧ−２、ＭＰＥＧ−４、Ｈ．２６４、ウィンドウズ（登録商標）・メディア・ビデオ・バージョン９（ＷＭＶ９）及びアドバンスド・ビデオ・システム（ＡＶＳ）のようなフォーマットで符号化されたビデオ情報を含んでも良い。本発明は、ここで具体的に述べられているフォーマットに限定されない。即ち、むしろ、現在知られる又は後に開発される如何なるメディアフォーマットもここで示した方式に従って使用されて良い。幾つかの実施において、メディア・ソース１１０により供給されるメディア情報は、運動ベクトルを含んでも良い。
【０００９】
幾つかの実施において、メディア・ソース１１０は、ビデオ情報（例えば、高解像度（ＨＤ）ＭＰＥＧ−２情報）のストリーム又はチャネルをメディア情報の他のストリーム又はチャネルから分離するためのチューナを有しても良い。幾つかの実施において、メディア・ソース１１０は、記録媒体からメディア情報を読み込むための読取装置を有しても良い。例えば、このような読取装置は、ＤＶＤ、ハードディスク、半導体記録デバイス、又は他の記録媒体からビデオ情報を抽出するための光学、磁気的、及び／又は電気的読取装置を含みうる。
【００１０】
変換器１２０は、メディア・ソース１１０からのビデオ情報を中間メディア情報１３２及び他の情報１３４に変換しうる。幾つかの実施において、変換器１２０は、ビデオ情報が中間メディア情報１３２に変換される前に、メディア・ソース１１０からのビデオ情報から他の情報１３４を抽出しても良い。幾つかの実施において、変換器１２０は、ビデオ情報を中間メディア情報１３２に復号しても良い（例えば、その符号化を実質的に反転する）。幾つかの実施において、変換器１２０は、ビデオ情報を中間メディア情報１３２に変換しても良い（例えば、その符号化を反転せずに変形する）。変換器１２０の他の可能な実施は、図２に表される。
【００１１】
図２は、システム１００の一部の一実施例を表す。図２の変換器１２０は、デコーダ２１０と、フレーム記憶部２２０と、デジタル−アナログ(Ｄ／Ａ)変換器２３０とを有しうる。デコーダ２１０は、入力されたデータストリームからビデオ情報を復号して、Ｄ／Ａ変換器２３０へ画素の圧縮されたビデオストリームを出力する。単に説明の目的のために、デコーダ２１０は、例えば、ＭＰＥＧ−２で符号化されたＨＤ情報を、ナショナル・テレビジョン・システム・コミティー（ＮＴＳＣ）規格、フェーズ・オルタネイティング・ライン（ＰＡＬ）規格、又はより高解像度のビデオフォーマットのような他のフォーマットのデジタルバージョンへ復号する。しかし、本発明は、この点に限定されない。
【００１２】
デコーダ２１０は、また、その入力されたビデオ情報から他の情報１３４を抽出しうる。このような他の情報１３４は、ビデオ情報内のマイクロブロックの変位を表す運動ベクトルを含んでも良い。このような運動ベクトルは、ビデオ情報の元のエンコーダにより発生し、デコーダ２１０によって該情報から抽出されうる。デコーダ２１０は、また、（例えば、それらを表すために必要とされるビットの数を低減するよう離散的コサイン変換（ＤＣＴ）係数の可変な均一量子化において使用される）量子化データと、（例えば、あるフレームが、フレーム内符号化画像（Ｉピクチャ）、フレーム間順方向予測符号化画像（Ｐピクチャ）又は双方向予測符号化画像（Ｂピクチャ）のいずれを有するとしても）画像データとを抽出しうる。幾つかの実施において、デコーダ２１０は、ビデオ情報を後に符号化するために再使用されうる情報に焦点を当てる代わりに、他の情報１３４において特定の情報（例えば、放送フラグ又は他の権利管理情報）を含まなくても良い。
【００１３】
デコーダ２１０は、その復号化及び他の処理の最中に必要とされる情報をバッファリングするためにフレーム記憶部２２０を使用しうる。Ｄ／Ａ変換器２３０は、デコーダ２１０から画素の圧縮されたビデオストリームを受け、該ストリームをアナログ信号（例えば、中間メディア情報１３２）へ変換しうる。Ｄ／Ａ変換器２３０の特性のために、Ｄ／Ａ変換器２３０は、デコーダ２１０から受けた画素の圧縮されたビデオストリームに関連してアナログ中間メディア情報１３２に幾らかのエラーを導入しうる。
【００１４】
図２の他の情報１３４は運動ベクトル、量子化データ、及び画像データを含みうるが、このようなデータは、前出の例としてのフォーマット（例えば、ＭＰＥＧ−２）の特徴を示し、本発明を限定するよう解釈されるべきではない。ビデオ情報の他のフォーマットは、デコーダ２１０が抽出して、他の情報１３４に含みうる運動ベクトル、量子化データ、及び画像データの代わりに、又はそれらに加えて、情報を有しても良い。同様に、図２において中間メディア情報１３２はアナログ映像を有しうるが、他の実施において、図２の変換器１２０は、デコーダ２１０及びＤ／Ａ変換器２３０のうちの１又はそれ以上を有さなくても良い。従って、幾つかの実施において、中間メディア情報１３２は、アナログ映像を有さなくても良い。
【００１５】
図１に戻り、エンコーダ１４０は、他の情報１３４によって中間メディア情報１３２を符号化して、出力ビデオ情報を発生させる。幾つかの実施において、エンコーダ１４０は、出力ビデオ情報の品質の意図的な変化を伴って又は伴わずに、メディア・ソース１１０からの元のビデオ情報と同じフォーマットで中間メディア情報１３２を符号化しうる（例えば、再符号化）。幾つかの実施において、エンコーダ１４０は、出力ビデオ情報の品質の意図的な変化を伴って又は伴わずに、メディア・ソース１１０からの元のビデオ情報とは異なるフォーマットに中間メディア情報１３２を符号化しうる（例えば、符号変換）。エンコーダ１４０の１つの可能な実施が、図２に表される。
【００１６】
図２において、エンコーダ１４０は、アナログ−デジタル(Ａ／Ｄ)変換器２４０と、フレーム制御ブロック２５０と、圧縮ブロック２６０と、レート制御ブロック２７０と、フレーム記憶部２８０とを有しうる。単に説明の目的のために、図２のエンコーダ１４０は、例えば、ＨＤ情報をＭＰＥＧ−２で符号化しうる。しかし、本発明は、この点に限定されない。
【００１７】
Ａ／Ｄ変換器２４０は、アナログ中間メディア情報１３２をデジタル画素の対応するストリームに変換しうる。しかし、Ａ／Ｄ変換器２４０は、変換の際に幾らかの量子化エラーを導入しうる。従って、Ａ／Ｄ変換器２４０からのデジタル画素のストリームは、２度の変換により、Ｄ／Ａ変換器２３０に入るデジタル画素とは異なることがある。しかし、Ａ／Ｄ変換器２４０からのデジタル画素は、デコーダ２１０からの運動ベクトル、量子化データ及び画像データ（例えば、他の情報１３４）の再使用を可能にするには、ほぼ十分でありうる。
【００１８】
フレーム制御ブロック２５０は、Ａ／Ｄ変換器２４０からのデジタル画素ストリームの捕捉を制御し、圧縮ブロック２６０へデータを送信しうる。フレーム制御ブロック２５０は、その処理の最中に必要とされる情報をバッファリングするためにフレーム記憶部２８０を使用しうる。圧縮ブロック２６０へ供給されるデータは、それらが復号された後に運動ベクトルにより指し示される画素のブロックと、画素のブロックに関連するエラーデータとであっても良い。幾つかの実施において、関連するエラーデータは、フレーム制御ブロック２５０によって再現されても良い。しかし、幾つかの実施において、関連するエラーデータは、デコーダ２１０によって抽出された他の情報１３４に含まれても良い。
【００１９】
レート制御ブロック２７０は、デコーダ２１０からの他の情報内の量子化データ及び画像データを受けうる。例えば、画像データが、特定のフレームがＩフレームであること又は特定のフレームがフレーム内ブロックとして符号化されることを示す場合には、画素のブロックは、フレーム制御ブロック２５０から圧縮ブロック２６０へ直接的に供給されても良い。圧縮ブロック２６０は、ＭＰＥＧ−２の場合に、例えば、ＤＣＴ、量子化、及び可変長符号化（ＶＬＣ）動作のようなある方式を介して、受けた画像情報を圧縮／符号化するよう配置されても良い。
【００２０】
エンコーダ１４０のフレーム記憶部２８０内のデジタル画素は、変換器１２０のフレーム記憶部２２０内の対応する画素とは異なりうるので、エラーデータも異なりうる。エラーデータのこのような相違は、圧縮ブロック２６０によって出力された圧縮ストリームに異なるデータレートをもたらす。レート制御ブロック２７０は、ビットレートを目標のビットレートまで下げることを必要とされる場合に、量子化パラメータを増大するよう設計されうる。同様に、レート制御ブロック２７０は、圧縮ブロック２６０の出力ビットレートを増大させるよう、必要ならば、量子化パラメータを変更しうる。さもなければ、レート制御ブロック２７０は、他の情報１３４内の量子化データにおいてデコーダ２１０によってブロック２７０に与えられたキー（ｃｌｕｅ）に従っても良い。
【００２１】
元のビデオストリームから抽出された運動ベクトルのフレーム制御ブロック２５０による再使用は、多数の計算を節約するよう、圧縮ブロック２６０がモーション検出処理を省くことを可能する。幾つかの実施において、圧縮ブロック２６０は、Ａ／Ｄ変換器２４０による画素の再デジタル化によって導入されるエラーを補償するよう、比較的簡単な、局部的なモーション検出を実行しても良い。例えば、標準的な映像圧縮において、ブロック照合は、極めて大きな領域に亘る検索を伴っても良い。通常、１００×７０の画素検索ウィンドウは、照合がサブピクセルレベルで実行される状態で使用され、毎秒無数の動作を必然的に伴う。デコーダ２１０からの他の情報１３４内の運動ベクトルを再使用することは、Ｄ／Ａ及びＡ／Ｄ変換の際に導入されたエラーを補償するよう、フレーム制御ブロック２５０が、おそらく±２画素と同じくらい小さい、より一層小さな検索ウィンドウを使用することを可能にする。
【００２２】
レート制御ブロック２７０の動作は、また、元のストリームから抽出された他の情報１３４内の量子化データ及び画像データの再使用によって著しく低減されうる。圧縮ブロック２６０によって発生した出力ビデオ情報のストリームがデコーダ２１０へ入力された元のストリームと整合し得ないとしても、ユーザは、出力ビデオ情報が再生される場合に、実質的に同じ映像品質を経験しうる。ここで記述される考えは、別な方法で考えられ得るよりも、複雑ではなく、計算能力を必要としないエンコーダ１４０の設計を可能にする。
【００２３】
図２のエンコーダ１４０は、前出の例としての符号化フォーマット（例えば、ＭＰＥＧ−２）の特徴を示すような特定の部品を有しうるが、これは本発明を限定するように解釈されるべきではない。受けた中間メディア情報１３２のための他の符号化フォーマットは、図２に表された要素２４０から２８０に対して付加的又は代替的部品を有しうる。
【００２４】
図１に戻り、随意的な記憶／出力装置１５０は、中間メディア情報１３２を記憶又は出力するよう配置されうる。幾つかの実施において、記憶／出力装置１５０は、中間メディア情報１３２へのアクセスをシステム１００の他の構成要素又は他のシステム（図示せず。）に与えるための出力インターフェースを有しても良い。このような物理的な出力インターフェースは、光学、電気的、等であっても良く、ビデオ情報用の１又はそれ以上の既存のインターフェース仕様に従っても良い。
【００２５】
幾つかの実施において、記憶／出力装置１５０は、中間メディア情報１３２を記憶するための装置を有しても良い。例えば、記憶／出力装置１５０は、情報１３２を記憶するようハードディスク又はフラッシュメモリを有しても良い。幾つかの実施において、記憶／出力装置１５０は、中間メディア情報１３２を持ち運び可能な記録媒体へ転送するよう、書き込み可能な光学駆動装置（例えば、ＤＶＤ−ＲＷ、等）を有しても良い。幾つかの実施において、随意的な記憶／出力装置１５０は存在しないこともあり、中間メディア情報１３２はエンコーダ１４０によってのみ使用されうる。
【００２６】
記憶装置１６０は、エンコーダ１４０によって出力された符号化されたビデオ情報を記憶するための記憶装置を有しうる。処理装置（図示せず。）は、しばらく後に、再生又他の何らかの目的のために記憶装置１６０内の符号化されたビデオ情報にアクセスしうる。幾つかの実施において、記憶装置１６０は、符号化されたビデオ情報を記憶するようハードディスク又はフラッシュメモリを有しても良い。幾つかの実施において、記憶装置１６０は、符号化されたビデオ情報を光学記録媒体へ転送するよう、書き込み可能な光学駆動装置（例えば、ＤＶＤ−ＲＷ、等）を有しても良い。幾つかの実施例が記憶装置１６０に関して論じられてきたが、本発明は、明示的に記載されたそれらの実施例に限定されるべきではなく、代わりに、エンコーダ１４０からの符号化されたビデオ情報を記憶する能力を有する如何なる装置をも包含すべきである。
【００２７】
図３は、本発明の原理に一致するビデオ情報の符号化処理３００を表すフローチャートである。処理３００は、説明を簡単にするために、システム１００に関連して記載されうるが、本発明はこの点に限定されない。処理は、変換器１２０が、メディア・ソース１１０から受ける符号化されたビデオ情報から他の情報１３４を抽出することにより始まる［動作３１０］。他の情報１３４は、例えば、運動ベクトルを有しても良く、且つ／あるいは、他の情報は、計算上、生成すべき強意語（ｉｎｔｅｎｓｉｖｅ）であっても良い。幾つかの実施において、他の情報１３４は、また、例えば、量子化データ、エラーデータ、及び／又は画像データのような更なる抽出情報を含んでも良い。
【００２８】
処理は、変換器１２０が、符号化されたビデオ情報を中間メディア情報１３２の中間フォーマットに変換することにより継続しうる［動作３２０］。幾つかの実施において、中間フォーマットは、図２にあるように、アナログ画素データを有しても良い。このような実施において、変換器１２０は、デコーダ（例えば、デコーダ２１０）として機能しても良い。幾つかの実施において、中間フォーマットは、デジタル画素データ、又は、画素データに完全に同じように対応していない符号化フォーマットを有しても良い。このような実施において、変換器１２０は、部分デコーダ、トランスコーダ、等として機能し、単なる復号化以外の他の何らかの変換を符号化されたビデオ情報に対して実行する。様々な中間フォーマットが、このようなフォーマットを扱うためのエンコーダ１４０の設計及び能力に依存して、可能であって、考えられている。
【００２９】
エンコーダ１４０は、変換器１２０によって抽出された他の情報１３４を用いて中間メディア情報１３２を符号化しうる［動作３３０］。幾つかの実施（例えば、図２）において、エンコーダ１４０は、変換器１２０によって受けられた符号化されたビデオ情報の元のフォーマットに中間メディア情報１３２を再符号化しても良い。幾つかの実施において、エンコーダ１４０は、変換器１２０によって受けられた符号化されたビデオ情報のフォーマットとは異なるフォーマットに中間メディア情報１３２を符号化しても良い。一例として、エンコーダ１４０は、本来はＭＰＥＧ−２フォーマットであった中間メディア情報１３２をＨ．２６４フォーマットに符号化しても良い。他の符号変換が、可能であって、本発明の原理に一致する。
【００３０】
幾つかの実施において、エンコーダ１４０は、中間メディア情報１３２を符号化する際に補助するために、他の情報１３４からの運動ベクトルを使用しても良い。エンコーダ１４０は、また、中間メディア情報１３２を符号化する際に支援するために、他の情報１３４において、利用可能ならば、量子化データ、画像データ、及び／又はエラーデータのうちの１又はそれ以上を使用しても良い。幾つかの実施において、エンコーダ１４０は、再生するには計算上高価であって、中間メディア情報１３２を符号化する際に補助するために、運動ベクトルに加えて、又はそれに代わって、変換器１２０によって抽出されうる如何なる他の情報を有しても良い。
【００３１】
処理は、記憶装置１６０が、エンコーダ１４０によって出力される符号化されたビデオ情報を記憶することにより継続されうる［動作３４０］。このような記憶は、磁気、半導体、光学、又は、このような符号化されたビデオ情報を記憶する能力を有する他のいずれかの適切な媒体又は装置で起こりうる。幾つかの実施において、動作３４０は、使用（例えば、システム１００の他の部分（図示せず。）又は他のシステムによる、再生、送信）のためにエンコーダ１４０からの符号化されたビデオ情報を出力するステップを、更に又は代替的に有しても良い。図３に明示的に示されていないが、動作３４０は、また、あるいは代替的に、記憶／出力装置１５０による中間メディア情報１３２の記憶又は出力を有しても良い。ここに記述される方式は、幾つかの実施において、入力されたビデオ情報を再圧縮又は再符号化するために、変換器１２０からのアナログ画素及びデジタルキーの組合せを使用しても良い。
【００３２】
本発明の原理に一致する１又はそれ以上の実施に係る先の記載は、実施例及び説明を提供するが、包括的ではなく、即ち、開示される明確な形に本発明の適用範囲を限定するものではない。改良及び変形が、前出の技術を踏まえて可能であり、即ち、本発明の様々な実施の実践から得られる。
【００３３】
例えば、変換器１２０へ入力されるメディアデータ内の如何なる音声情報も、必要とされる計算エネルギーが比較的最小限であるので、エンコーダ１４０による再圧縮のために、アナログへの変換及びデジタルへの逆変換をなされても良い。更に、図１では直接的に接続されているように示されるが、中間メディア情報１３２及び他の情報１３４のうちの１又はそれ以上は、有線又は無線通信リンクを介して変換器１２０からエンコーダ１４０へ転送されても良い。
【００３４】
更に、図３の動作は、示されている順序で実施される必要はなく、また、動作の全てが実行される必要もない。また、他の動作に依存しないこれらの動作は、他の動作と並行して実行されても良い。更に、この図中の動作の少なくとも幾つかは、機械読取可能な媒体で実施される命令、又は命令のグループとして実施されても良い。
【００３５】
本願の記載中に使用される要素、動作、又は命令は、そのようなものとして明示的に記載されていない限り、本発明にとって重要又は不可欠であると解釈されるべきではない。また、ここで使用されるように、冠詞「１つの（ａ）」（翻訳上、ある要素の前にその要素の個数を特定するような如何なる語も付されていない場合）は、１又はそれ以上の品目を含むことを意味する。ただ１つの品目しか意味しない場合には、語「１つの（ｏｎｅ）」又は類似する語が使用される。変形及び改良は、本発明の精神及び原理を実質的に損なわない範囲で保安発明の前出の実施に対してなされうる。全てのこのような改良及び変形は、本開示の適用範囲内で本明細書に含まれ、特許請求の範囲により保護される。
【図面の簡単な説明】
【００３６】
【図１】本発明の原理に一致するシステムの一例を表す。
【図２】図１のシステムの一部の一実施例を表す。
【図３】本発明の原理に一致するビデオ情報の符号化処理を表すフローチャートである。
【図１】
2007531477.tif 000003
【図２】
2007531477.tif 000004
【図３】
2007531477.tif 000005
【国際調査報告】
2007531477.tif 000006
2007531477.tif 000007